(57)【特許請求の範囲】
【請求項１】
内部に電子機器を収納するコンテナ部と、
前記コンテナ部の屋根より高い位置に配置され、水を貯める貯水タンクと、
前記貯水タンクの水の流れを規制する電磁弁と、
前記電磁弁が開放された場合、前記コンテナ部の屋根に散水する散水パイプと、
室内の温度を検知する室内温度センサと、
前記室内温度センサが検知した温度が閾値以上であった場合、前記電磁弁を開放して前記水を前記屋根に散水する制御部と、
を備えるコンテナ型データセンタ。
【請求項２】
前記コンテナ部の外壁を伝わって流れた前記水を集める樋と、
前記樋によって集められた前記水を貯める第１の貯水槽と、
前記第１の貯水槽から前記水を前記電磁弁に供給する第１の揚水ポンプと、
をさらに備え、
前記制御部は、
前記室内温度センサが検知した温度が閾値以上であった場合、前記電磁弁を開放して前記水を前記屋根に散水し、前記第１の貯水槽の水を前記第１の揚水ポンプによって前記電磁弁に供給する請求項１記載のコンテナ型データセンタ。
【請求項３】
前記コンテナ部の暖気区画に設置される第２の貯水槽と、
前記第１の貯水槽から前記第２の貯水槽に送水する送水ポンプと、
前記第２の貯水槽から前記電磁弁に前記水を供給する第２の揚水ポンプと、
前記コンテナ部の外気の温度を検知する室外温度センサと、
をさらに備え、
前記第１の貯水槽は、
前記コンテナ部の冷気区画に設置され、
前記制御部は、
前記室外温度センサによって検知した外気温が、前記室内温度センサによって検知した室内温度より、前記暖気区画及び前記冷気区画ともに低い場合、前記送水ポンプを作動させて前記第１の貯水槽の内部の水を前記第２の貯水槽に送水し、前記外気温が前記室内温度より閾値以上の温度差で低くなった場合、前記電磁弁を開放して前記水を前記屋根に散水する請求項２記載のコンテナ型データセンタ。
【請求項４】
前記コンテナ部は、
外壁に前記水の流れが均等になるように規制するリブを有する請求項３記載のコンテナ型データセンタ。
【請求項５】
前記室内温度センサは、
冷気区画に設置される第１の室内温度センサと、
暖気区画に設置される第２の室内温度センサと、
を含み、
前記制御部は、
前記第１の室内温度センサの出力に基づいて検知した室内温度が閾値以上に達した場合前記冷気区画側の外壁に散水し、前記第２の室内温度センサの出力に基づいて検知した室内温度が閾値以上に達した場合前記暖気区画側の外壁に散水するように前記電磁弁を制御する請求項１記載のコンテナ型データセンタ。
【発明の詳細な説明】
【技術分野】
【０００１】
本発明の実施形態は、コンテナ型データセンタに関する。
【背景技術】
【０００２】
近年では、設置場所の制約が少ないコンテナ型のデータセンタが普及しつつある。
【０００３】
このコンテナ型データセンタは、コンテナに冷却装置を設置し、コンテナの内部にサーバ等の電子機器を収納するものである。
【０００４】
サーバ等の電子機器は熱を発する。従って、効率よく電子機器を冷却する必要がある。
【０００５】
一方、コンテナ型データセンタは野外に設置されることが多い。従って、夏には太陽光によってコンテナ内部の温度が上昇する。また、冬には積雪などによってコンテナ内部の温度より外気温が大幅に下がり、コンテナの内壁や電子機器に結露が生じることがある。
【先行技術文献】
【特許文献】
【０００６】
【特許文献１】特開２００９−２３０３２９号公報
【発明の概要】
【発明が解決しようとする課題】
【０００７】
従って、外気温が変化してもコンテナ内部の気温を一定範囲に効率よく維持できるコンテナ型データセンタが求められている。
【課題を解決するための手段】
【０００８】
上記の課題を解決するために、内部に電子機器を収納するコンテナ部と、コンテナ部の屋根より高い位置に配置され、水を貯める貯水タンクと、貯水タンクの水の流れを規制する電磁弁と、電磁弁が開放された場合、コンテナ部の屋根に散水する散水パイプと、外気の温度を検知する室外温度センサと、室外温度センサが検知した温度が閾値以上であった場合、電磁弁を開放して水を屋根に散水する制御部と、を備えるコンテナ型データセンタを提供する。
【図面の簡単な説明】
【０００９】
【図１】コンテナ型データセンタの外観斜視図である。
【図２】コンテナ型データセンタの内部の平面図である。
【図３】コンテナ型データセンタの内部の側面図である。
【図４】コンテナ型データセンタの水の流れを示す図である。
【図５】コンテナ型データセンタの構成を示すブロック図である。
【発明を実施するための形態】
【００１０】
以下、コンテナ型データセンタの一実施形態について、図面を用いて詳細に説明する。
【００１１】
本実施形態のコンテナ型データセンタは、内部に電子機器を収納するコンテナ部と、コンテナ部の屋根より高い位置に配置され、水を貯める貯水タンクと、貯水タンクの水の流れを規制する電磁弁と、電磁弁が開放された場合、コンテナ部の屋根に散水する散水パイプと、外気の温度を検知する室外温度センサと、室外温度センサが検知した温度が閾値以上であった場合、電磁弁を開放して水を屋根に散水する制御部と、を備える。
【００１２】
図１は、コンテナ型データセンタ１の外観斜視図である。図１に示すように、コンテナ型データセンタ１は、サーバ等の電子機器を収容するコンテナ部１１と、コンテナ部１１の内部を冷却する冷却装置１２と、を備える。
【００１３】
コンテナ型データセンタ１はさらに、コンテナ部１１の屋根の上、またはコンテナ部１１の屋根より高い位置に設置される雨水貯水槽１４と、雨水貯水槽１４の水をフィルタリングする第１のフィルタ１５と、水の導通を制御する電磁弁１７と、電磁弁１７が開いたときに散水孔１８Ａから屋根に散水する散水パイプ１８と、外壁に設置され、散水された水の流れを均等になるように規制するリブ１３と、外壁を伝って流れた水を集める樋１９と、樋１９が集めた水をフィルタリングする第２のフィルタ２０と、フィルタリングされた水を貯める第１の貯水槽２１と、第１の貯水槽２１から水を電磁弁１７に送水する第１の揚水ポンプ１６Ａと、を備える。
【００１４】
コンテナ型データセンタ１はさらに、サーバ等の電子機器によって暖められた暖気によって水を温める第２の貯水槽２１Ａと、第１の貯水槽２１から第２の貯水槽２１Ａに送水する送水ポンプ２２と、第２の貯水槽２１Ａの水を電磁弁１７に送水する第２の揚水ポンプ１６Ｂを備えていてもよい。
【００１５】
また、コンテナ型データセンタ１は、雨水貯水槽１４または直接電磁弁１７に水を供給する給水管を備えていてもよい。
【００１６】
図２は、コンテナ型データセンタ１の内部の平面図である。また、図３は、コンテナ型データセンタ１の内部の側面図である。
【００１７】
図２及び図３に示すように、コンテナ型データセンタ１は、内部にサーバ等の電子機器２３を収納する。
【００１８】
コンテナ型データセンタ１はさらに、冷気区画２４と暖気区画２５とを仕切る仕切壁１１Ａを備える。
【００１９】
冷却装置１２によって冷やされた冷気は実線矢印に示すように電子機器を冷やし、電子機器によって暖められる。また、冷却装置１２によって冷やされた冷気は冷気区画２４に設置される第１の貯水槽２１に当たり、第１の貯水槽２１の内部の水を冷却する。
【００２０】
第１の貯水槽２１は、外壁に凹凸があり冷気が当る壁表面積をふやすことにより、効率的に冷気によって内部の水を冷却できる。
【００２１】
第２の貯水槽２１Ａは暖気区画２５に設置され、電子機器によって暖められた暖気によって第２の貯水槽２１Ａの内部の水が温められる。
【００２２】
第２の貯水槽２１Ａは外壁に凹凸があり暖気が当る壁表面積をふやすことにより、効率的に暖気によって内部の水をあっためることができる。また、第２の貯水槽２１Ａは内部に水を温めるヒータを有していてもよい。
【００２３】
また、コンテナ型データセンタ１は、冷気区画２４と暖気区画２５にそれぞれに、コンテナ内部の気温を検知する室内温度センサ５０２と、コンテナの外部の気温を検知する室外温度センサ５０３を備える。
【００２４】
電磁弁１７は、冷気区画２４側だけの散水、暖気区画２５側だけの散水、又は冷気区画２４及び暖気区画２５への散水を選択的に行うことができる。
【００２５】
図４は、コンテナ型データセンタ１の水の流れを示す図である。点線矢印は水の流れを示す。
【００２６】
図４に示すように、雨が降ると雨水は雨水貯水槽１４に貯水される。
【００２７】
制御部５０１は、冷気区画２４側と暖気区画２５側にそれぞれ対に設置されたいずれかの室内温度センサ５０２の出力に基づいて検知された室内温度が閾値以上に上昇した場合、上昇した方の配管系統の電磁弁１７を開放して雨水貯水槽１４の内部の水を散水パイプ１８に供給する。
【００２８】
制御部５０１は、室内温度センサ５０２の出力に基づいて検知された室内温度が両方の区画側とも閾値以上になった場合は、両方の配管系統の電磁弁１７を開放して雨水貯水槽１４の内部の水を両側の散水パイプ１８に供給する。
【００２９】
供給された水は、散水孔１８Ａからコンテナ型データセンタ１の屋根の上に散水される。
【００３０】
この水はさらに外壁を冷やしながら樋１９に流れ落ちる。
【００３１】
散水パイプ１８は勾配をつけ設置される。散水パイプ１８は散水孔１８Ａを散水される水量が一定になるように、水上から水下にかけて穴の位置を徐々に低くなるように有する。
【００３２】
コンテナ型データセンタ１は屋根面と壁面に、散水が均等に流れ落ちるように水の流れを規制するガイドラインとなるリブ１３を有する。
【００３３】
樋１９は流れ落ちた水を第２のフィルタ２０に集める。第２のフィルタ２０によってフィルタリングされた水は、第１の貯水槽２１の内部に貯水される。
【００３４】
第１の貯水槽２１の水は冷気によって冷却される。そして、第１の揚水ポンプ１６Ａによって電磁弁１７に供給され、再度コンテナ型データセンタ１の屋根に散水される。
【００３５】
一方、制御部５０１は、冷気区画２４側と暖気区画２５側にそれぞれ対に設置された室外温度センサ５０３が検知した外気温が、室内外温度センサ５０２が検知した室温より、両区画とも低い場合、送水ポンプ２２を作動させて第１の貯水槽２１の内部の水を第２の貯水槽２１Ａに送水する。
【００３６】
この水は暖気区画２５の暖気によって暖められる。
【００３７】
冷気区画２４側と暖気区画２５側にそれぞれ対に設置された室外温度センサ５０３が検知した外気温が、室内温度センサ５０２が検知した室温より閾値以上の温度差で低くなった場合、制御部５０１は、第２の揚水ポンプ１６Ｂを作動させて第２の貯水槽２１Ａの内部の水を電磁弁１７に供給する。
【００３８】
制御部５０１は、温度差が閾値以上の値に達した方の配管系統の電磁弁１７を開放して、雨水貯水槽１４の内部の水を散水パイプ１８に供給する。
【００３９】
制御部５０１は、両方の区画側とも温度差が閾値以上の値に達したと検知した場合は、両方の配管系統の電磁弁１７を開放して雨水貯水槽１４の内部の水を両側の散水パイプ１８に供給する。
【００４０】
供給された水は、散水孔１８Ａからコンテナ型データセンタ１の屋根の上に散水される。この水はさらに外壁を暖めながら樋１９に流れ落ちる。
【００４１】
散水された水は外壁をたどり、樋１９によって集められ、第１の貯水槽２１を経由して第２の貯水槽２１Ａに送水され、第２の揚水ポンプ１６Ｂと電磁弁１７を介して再びコンテナ型データセンタ１の屋根に散水される。
【００４２】
図５は、コンテナ型データセンタ１の構成を示すブロック図である。図５に示すように、
コンテナ型データセンタ１は、演算装置であるＣＰＵを含む制御部５０１と、コンテナ部１１の室内の気温を検知する室内温度センサ５０２と、コンテナ部１１の外部の気温を検知する室外温度センサ５０３と、電磁弁１７と、第１の揚水ポンプ１６Ａと、第２の揚水ポンプ１６Ｂと、第１の貯水槽２１から第２の貯水槽２１Ａに送水する送水ポンプ２２と、を備える。
【００４３】
以上述べたように、コンテナ型データセンタ１は、屋根の上に配置され、水を貯める貯水タンクである雨水貯水槽１４と、貯水タンクの水の流れを規制する電磁弁１７と、電磁弁１７が開放された場合、屋根に散水する散水パイプ１８と、外壁を伝わって流れた水を集める樋１９と、樋１９によって集められた水を貯める第１の貯水槽２１と、第１の貯水槽２１から水を電磁弁１７に供給する第１の揚水ポンプ１６Ａと、室温を検知する室内温度センサ５０２と、室内温度センサ５０２が検知した温度が閾値以上であった場合、電磁弁１７を開放して水を屋根に散水する制御部５０１と、を備える。
【００４４】
従って、外気温が変化してもコンテナ内部の気温を一定範囲に効率よく維持できるという効果がある。
【００４５】
いくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００４６】
１１  コンテナ部
１２  冷却装置
１４  雨水貯水槽
１７  電磁弁
１８  散水パイプ
１９  樋
２１  第１の貯水槽
２１Ａ  第２の貯水槽
【要約】
【課題】外気温が変化してもコンテナ内部の気温を一定範囲に効率よく維持できるコンテナ型データセンタを提供する。
【解決手段】コンテナ型データセンタは、内部に電子機器を収納するコンテナ部と、コンテナ部の屋根より高い位置に配置され、水を貯める貯水タンクと、貯水タンクの水の流れを規制する電磁弁と、電磁弁が開放された場合、コンテナ部の屋根に散水する散水パイプと、外気の温度を検知する室外温度センサと、室外温度センサが検知した温度が閾値以上であった場合、電磁弁を開放して水を屋根に散水する制御部と、を備える。
【選択図】図１【図１】
0005634581.tif 000002
【図２】
0005634581.tif 000003
【図３】
0005634581.tif 000004
【図４】
0005634581.tif 000005
【図５】
0005634581.tif 000006